(57)【特許請求の範囲】
【請求項１】
建物躯体に支持されて建物開口を開閉するシャッターカーテンの操出巻取方向に沿う両側縁のそれぞれを案内するガイドレールと、
前記ガイドレールの前記シャッターカーテンと平行な外正面と、該外正面に直交する外側面の少なくとも出隅部を含む一部分とを覆って固定される耐熱・耐火性を備えた耐火材と、
前記耐火材の外側を覆って該耐火材とともに前記ガイドレールに固定される化粧部材と、
を具備し、
前記耐火材は、前記ガイドレールの前記出隅部を含む一部分の外側から着脱自在に重合され、前記化粧部材は、前記重合状態にある耐火材の外側から着脱自在に重合され、重合状態とされたガイドレールの一部分の基端鍔部、耐火材の基端側縁部、及び化粧部材の基端側縁部は、建物開口側と反対側に略直角外方向に突出して建物躯体の外側に重合し、建物躯体に化粧部材の基端側縁部の外側から固定手段により重合固定自在に固定されていることを特徴とするシャッター用ガイドレールの防火構造。
【請求項２】
請求項１記載のシャッター用ガイドレールの防火構造であって、
前記耐火材が、断面Ｌ字形の硬質な成形部材からなることを特徴とするシャッター用ガイドレールの防火構造。
【請求項３】
請求項２記載のシャッター用ガイドレールの防火構造であって、
前記耐火材が、鋼板からなることを特徴とするシャッター用ガイドレールの防火構造。
【請求項４】
請求項１乃至３のいずれか１つに記載のシャッター用ガイドレールの防火構造であって、
前記耐火材の前記外正面を覆う部位が、前記シャッターカーテンの両側縁と重なる掛かり代部を有することを特徴とするシャッター用ガイドレールの防火構造。
【請求項５】
請求項１乃至４のいずれか１つに記載のシャッター用ガイドレールの防火構造であって、  前記耐火材は、前記ガイドレールの長手方向に複数に分割されていることを特徴とするシャッター用ガイドレールの防火構造。
【発明の詳細な説明】
【技術分野】
【０００１】
本発明は、シャッター用ガイドレールの防火構造に関する。
【背景技術】
【０００２】
シャッターカーテンの両側縁をガイドするガイドレールは、アルミ合金等による押出成形品が用いられることが多い。アルミ合金よりなることで、ガイドレールは意匠性を持たせることができ、またその素材により防錆性もあり住宅用には好適である。ところが、アルミ合金等によるガイドレールは、火災発生時に過度の熱を受けると変形を起こし、さらには溶ける可能性があり、シャッター装置の本来の機能を十分に発揮できない虞がある。そこで、防火機能の向上を図ることができる閉鎖体のガイドレールの構造が提案されている（例えば特許文献１参照）。
【０００３】
この閉鎖体のガイドレールの構造は、空間を仕切る閉鎖体の端縁部分を挿入部に挿入してこの閉鎖体の移動を案内する閉鎖体のガイドレールの構造において、挿入部を形成するガイドレール本体と、このガイドレール本体を補強する補強材とを備える。補強材は、ガイドレール本体の長手方向の全長に渡って連続的に設けられていてもよく、或いは断続的に設けられていてもよい。
【０００４】
この閉鎖体のガイドレールの構造によれば、補強材を設けてガイドレール本体を補強するので、ガイドレールの強度が全体として向上する。このため、防火や防煙等の防災上の機能や防犯上の機能の向上を図ることが可能となる。ガイドレールが火災発生時に過度の熱を受けて溶けてしまい、本来の機能を十分に発揮できなくなるという不都合を未然に防止することが可能となる。
【先行技術文献】
【特許文献】
【０００５】
【特許文献１】特開２００５−３５１０８２号公報
【発明の概要】
【発明が解決しようとする課題】
【０００６】
しかしながら、上記従来の防火タイプのシャッター装置は、ガイドレール等の部材そのものを防火専用品にしたり、ガイドレール内部に補強部材を組み込んだりしている。このため、専用の部品点数が増加し、生産効率を低下させた。また、既設のシャッター装置の防火性能を向上させたい場合においても、従来部品をこれらの防火専用部品に交換する必要があり、既設の部品を撤去するなど施工が煩雑となった。
【０００７】
本発明は上記状況に鑑みてなされたもので、その目的は、既設のシャッター装置の防火性能を容易に向上させることができるシャッター用ガイドレールの防火構造を提供することにある。
【課題を解決するための手段】
【０００８】
次に、上記の課題を解決するための手段を、実施の形態に対応する図面を参照して説明する。
本発明のシャッター用ガイドレールの防火構造は、建物躯体３１に支持されシャッターカーテン１１の操出巻取方向に沿う両側縁３５のそれぞれを案内するガイドレール２５と、
前記ガイドレール２５の前記シャッターカーテン１１と平行な外正面４１と、該外正面４１に直交する外側面４３の少なくとも出隅部４５を含む一部分とを覆って固定される耐熱・耐火性を備えた耐火材２７と、
前記耐火材２７の外側を覆って該耐火材２７とともに前記ガイドレール２５に固定される化粧部材２９と、
を具備し、
前記耐火材は、前記ガイドレールの前記出隅部を含む一部分の外側から着脱自在に重合され、前記化粧部材は、前記重合状態にある耐火材の外側から着脱自在に重合され、重合状態とされた耐火材と化粧部材とは、ガイドレールの前記一部分の建物躯体よりの外側面に、ガイドレールの外側から固定手段により重合固定自在に固定されていることを特徴とすることを特徴とする。
【０００９】
このシャッター用ガイドレールの防火構造では、ガイドレール２５の外正面４１及び外側面４３が耐火材２７で覆われることにより、ガイドレール２５の防火性能が高まる。ガイドレール２５の外正面４１及び外側面４３から耐火材２７が取り付けられるので、既設のシャッター装置１５に対し施工が簡単に行える。耐火材２７の表面が化粧部材２９で覆われるので、意匠性を損ねることがない。また、出荷製品とした場合であっても、既製のガイドレール２５に耐火材２７及び化粧部材２９を取り付ければよいので、専用独立部材が増えることがなく、部品の共通化が図れ、生産効率を低下させることがない。
【００１０】
本発明の請求項２記載のシャッター用ガイドレールの防火構造は、
前記耐火材２７が、断面Ｌ字形の硬質な成形部材からなることを特徴とする。
【００１１】
このシャッター用ガイドレールの防火構造では、例えば吹き付け耐熱材やシート状の耐熱材等と異なり、ガイドレール２５に沿わせて施工が容易に行える。また、取り付けることによって、耐熱性能の向上以外に、ガイドレール２５の強度も向上させることができる。
【００１２】
本発明の請求項３記載のシャッター用ガイドレールの防火構造は、
前記耐火材２７が、鋼板４７からなることを特徴とする。
【００１３】
このシャッター用ガイドレールの防火構造では、帯状の鋼板４７を長手方向に沿う略中央の折り曲げ部で折り曲げることで、出隅部４５を覆うＬ字形の耐火材２７が安価且つ容易に製作可能となる。また、ガイドレール２５と同等の長さに成形する構成以外に、ガイドレール２５の長手方向に複数に分割した耐火材２７の製作も容易となる。
【００１４】
本発明の請求項４記載のシャッター用ガイドレールの防火構造は、
前記耐火材２７の前記外正面４１を覆う部位が、前記シャッターカーテン１１の両側縁３５と重なる掛かり代部５１を有することを特徴とする。
本発明の請求項５記載のシャッター用ガイドレールの防火構造は、前記耐火材は、前記ガイドレールの長手方向に複数に分割されていることを特徴とする。
本発明の請求項１記載のシャッター用ガイドレールの防火構造は、建物躯体に支持されて建物開口を開閉するシャッターカーテンの操出巻取方向に沿う両側縁のそれぞれを案内するガイドレールと、
前記ガイドレールの前記シャッターカーテンと平行な外正面と、該外正面に直交する外側面の少なくとも出隅部を含む一部分とを覆って固定される耐熱・耐火性を備えた耐火材と、
前記耐火材の外側を覆って該耐火材とともに前記ガイドレールに固定される化粧部材と、
を具備し、
前記耐火材は、前記ガイドレールの前記出隅部を含む一部分の外側から着脱自在に重合され、前記化粧部材は、前記重合状態にある耐火材の外側から着脱自在に重合され、重合状態とされたガイドレールの一部分の基端鍔部、耐火材の基端側縁部、及び化粧部材の基端側縁部は、建物開口側と反対側に略直角外方向に突出して建物躯体の外側に重合し、建物躯体に化粧部材の基端側縁部の外側から固定手段により重合固定自在に固定されていることを特徴とする。
【００１５】
請求項４記載のシャッター用ガイドレールの防火構造では、左右ガイドレール２５間の間隔距離となる間口幅長が、掛かり代部５１によってシャッターカーテン１１の幅長よりも短く位置することとなり、シャッターカーテン１１の両側縁３５が掛かり代部５１に掛かることとなり、ガイドレール２５が火災などで変形を起こしたり溶けてしまうことがあっても、シャッターカーテン１１が脱落等を起こさない。
請求項５発明では、ガイドレールの製作が容易となり、現場での取付施工容易性も向上する。
請求項１発明では、耐火材及び化粧部材の基端側縁部を、ガイドレールの基端鍔部とともに建物躯体に固定でき、基端鍔部をも覆うことが可能となって耐火強度を一層高めることができる。
【発明の効果】
【００１６】
本発明に係る請求項１記載のシャッター用ガイドレールの防火構造によれば、ガイドレールの外正面及び外側面が耐火材で覆われることで、既設のシャッター装置の防火性能を容易に向上させることができる。
【００１７】
本発明に係る請求項２記載のシャッター用ガイドレールの防火構造によれば、耐火材を取扱性のよい単独部材で製作でき、施工性を高めることができる。
【００１８】
本発明に係る請求項３記載のシャッター用ガイドレールの防火構造によれば、耐火材の材料費を安価にできるとともに、板金加工等による容易な製作が可能となる。
【００１９】
本発明に係る請求項４記載のシャッター用ガイドレールの防火構造によれば、耐火材の掛かり代部で両側縁の掛かりを担保してシャッターカーテンの脱落を防ぐことができる。
請求項５発明では、ガイドレールの製作が容易となり、現場での取付施工容易性も向上する。
請求項１発明では、耐火材及び化粧部材の基端側縁部を、ガイドレールの基端鍔部とともに建物躯体に固定でき、基端鍔部をも覆うことが可能となって耐火強度を一層高めることができる。さらに、請求項１発明では、ガイドレールのみならず化粧部材及び長手の重量のある部材である耐火材をも建物躯体に固定され、その固定が強固で安全である。
【図面の簡単な説明】
【００２０】
【図１】本発明に係るシャッター用ガイドレールの防火構造を備えたシャッター装置全体の斜視図である。
【図２】図１に示したシャッター装置におけるガイドレール及びその固定部分の平断面図である。
【図３】図２に示したガイドレール、耐火材、化粧部材の分解斜視図である。
【図４】耐火材の掛かり代部を説明するための図２の要部拡大図である。
【図５】建物躯体に固定される変形例に係る耐火材及び化粧部材の平断面図である。
【発明を実施するための形態】
【００２１】
以下、本発明に係る実施形態を図面を参照して説明する。
図１は本発明に係るシャッター用ガイドレールの防火構造を備えたシャッター装置全体の斜視図である。
本実施形態に係るシャッター用ガイドレールの防火構造は、例えばシャッターカーテン１１を用いて建物開口部１３を開閉するシャッター装置１５に好適に用いることができる。シャッター装置１５は、住宅の外壁１７に設けられたサッシ窓１９の外側に取り付けられる。建物開口部１３の上方にはシャッター装置１５の収納部２１が取り付けられている。シャッターカーテン１１は、アルミ製やスチール製のスラット２３を複数連結した一般的なシャッターカーテン１１の他、パネル材や樹脂製シート状のシャッターカーテン１１とすることもできる。
【００２２】
なお、シャッターカーテン１１は、他の樹脂にて構成されるシート材や、ゴムシート材、織布や、樹脂製ネットスクリーン、金属製ネットスクリーン、シリカクロス、ガラスクロスなどを素材とする構成や、これら素材を複合や積層させた素材などとしてもよく、このシャッターカーテン１１を構成する素材を、耐火性，防火性，防炎性を有する素材とすることができる。
【００２３】
図２は図１に示したシャッター装置１５におけるガイドレール２５及びその固定部分の平断面図である。
シャッター用ガイドレールの防火構造は、ガイドレール２５と、耐火材２７と、化粧部材２９と、を主要な構成部材として備える。ガイドレール２５は、アルミ押出成形材よりなる。ガイドレール２５は、建物躯体３１に固定手段としての固定ネジ３３により支持固定され、シャッターカーテン１１の操出巻取方向に沿う両側縁３５のそれぞれを案内する。本実施形態では、シャッターカーテン１１を構成するスラット２３の端部に延設された抜け止め部材３９が、ガイドレール２５内のスリット３７に抜け止め規制され案内される。抜け止め部材３９は、断面Ｔ字状の樹脂材よりなりスリット３７に係合して抜け止めが行われる。
【００２４】
図３は図２に示したガイドレール２５、耐火材２７、化粧部材２９の分解斜視図である。
耐火材２７は、耐熱・耐火性を備え、ガイドレール２５の屋外側のシャッターカーテン１１と平行な外正面４１の全部又は一部と、外正面４１に直交する外側面４３の全部又は一部、及び少なくとも出隅部４５を含む一部分とを覆って固定される。耐火材２７は、断面Ｌ字形の硬質な板状の成形部材からなる。例えば塗膜のような吹き付け耐熱材や耐炎繊維からなる織布等と異なり、剛性を有する素材で施工が容易に行える。また、取り付けることによって、耐熱・耐火性能の向上以外に、ガイドレール２５の強度も向上させることができ、すなわちガイドレール２５の補強材となる。また、耐火材２７を取扱性のよい単独部材で製作でき、施工性を高めることができる。
【００２５】
本実施形態において、耐火材２７は、鋼板４７からなる。これにより、耐火材２７の材料費を安価にできる。耐火材２７は、帯状の鋼板４７を長手方向に沿う略中央部分の折り曲げ部で折曲形成することで、出隅部４５を覆うＬ字形の耐火材２７が容易に製作可能となる。鋼板４７の板厚は０．８〜２ｍｍ程度が好適となる。なお、鋼板４７は、板厚を大きくすることで耐熱・耐火性能を向上させることが可能であるが、板厚の増加は重量が増すこととなり、取扱性、取付施工性等を鑑み設定するものである。耐火材２７は、ガイドレール２５に沿う方向が、全通して連続であってもよいし、断続で複数で構成されてもよい。ガイドレール２５と略同等の長さとなる全通しの耐火材２７とすれば、補強として、より効果的である。また、図３に示すように、ガイドレール２５の長手方向に複数に分割して製作する構成とすれば、製作性が容易となり、また施工を容易にできる。
【００２６】
化粧部材２９は、耐火材２７の外側を覆って耐火材２７とともにガイドレール２５に固定される。化粧部材２９は、アルミ押出成形材よりなり、連続形成することにより意匠性を保てるようにする。つまり、化粧部材２９は、耐火材２７の表面を覆うカバーとなる。それぞれの働きを考慮すると、耐火材２７は略短冊状の成形品とし、化粧部材２９は連続の一体成形品とすることが現実的となる。つまり、シャッター用ガイドレールの防火構造は、耐火性を有する耐火材２７と、意匠性及び防錆性を有する化粧部材２９との２層構造となる。
【００２７】
これら耐火材２７及び化粧部材２９は、例えばリベット４９による固定手段で外側からガイドレール２５に容易に固定される。すなわち、本発明の防火構造は、現場施行にて寸法切りして穴開けを行い、外側からリベット４９で取り付けるという容易な施行手順のみで済む。これにより、部品を追加するのみで、既設のシャッター装置１５であっても、防火性能を容易に向上させることができるものである。
【００２８】
図４は耐火材２７の掛かり代部５１を説明するための図２の要部拡大図である。
また、耐火材２７は、ガイドレール２５の外正面４１を覆う部位が、シャッターカーテン１１の両側縁３５と重なる掛かり代部５１を有する。アルミ合金製のガイドレール２５は火災による熱で変形を起こし、さらには溶ける虞がある。また、抜け止め部材３９は、樹脂製であり、耐風機能としては有効であるが、火災による熱で溶けて無くなってしまう虞がある。本実施形態の耐火材２７は、掛かり代部５１が設けられていることで、シャッターカーテン１１の両側縁３５の抜け止め部材３９が溶けても、シャッターカーテン１１の両側縁３５に重なる掛かり代部５１を残すことができる。すなわち、左右のガイドレール２５の間隔距離とシャッターカーテン１１の幅長とが、シャッターカーテン１１の幅長よりも耐火材２７での間隔距離が、掛かり代部５１によって短くなり、これにより、アルミ合金製のガイドレール２５が熱で変形したり溶けるなどを起こしても、掛かり代部５１が、シャッターカーテン１１の両側縁３５に掛かり、シャッターカーテン１１がガイドレール２５から外れなくなる。このようにして、耐火材２７の掛かり代部５１で両側縁３５の掛かりを担保してシャッターカーテン１１の脱落を防ぐことができる。
【００２９】
次に、上記構成を有するシャッター用ガイドレールの防火構造の作用を説明する。
シャッター用ガイドレールの防火構造では、ガイドレール２５の外正面４１及び外側面４３が耐火材２７で覆われることにより、ガイドレール２５の防火性能が高まる。ガイドレール２５の外正面４１及び外側面４３から耐火材２７が取り付けられるので、既設のシャッター装置１５に対し施工が簡単に行える。
【００３０】
さらに、耐火材２７の表面が化粧部材２９で覆われるので、シャッター装置１５としての意匠性を損ねることがない。また、出荷製品とした場合であっても、既製のガイドレール２５に耐火材２７及び化粧部材２９を取り付ければよいので、専用独立部材が増えることがなく、部品の共通化が図れ、生産効率を低下させることがない。
【００３１】
ガイドレール２５の外側に構成させるのみで、既設のシャッター構造を変更しないので、シャッター装置１５としての部品構成に変更がない。なお、ガイドレール２５の形状が異なるものでも、対応可能となる。
【００３２】
図５は建物躯体３１に固定される変形例であって、本願発明に係る耐火材２７及び化粧部材２９の平断面図である。
なお、上記の例では耐火材２７及び化粧部材２９が、ガイドレール２５の外側面４３における一部分である出隅部４５を覆ったが、耐火材２７及び化粧部材２９は、建物開口側と反対側の基端側縁部５３を、ガイドレール２５の基端鍔部５５まで略直角外方向に延長している。この構成によれば、耐火材２７及び化粧部材２９の基端側縁部５３を、ガイドレール２５の基端鍔部５５とともに建物躯体３１に固定でき、基端鍔部５５をも覆うことが可能となって耐火強度を一層高めることができる。
【００３３】
従って、このシャッター用ガイドレールの防火構造によれば、ガイドレール２５の外正面４１及び外側面４３を覆い隠し、既設のシャッター装置１５の防火性能を容易に向上させることができる。また、建物躯体３１に固定され、耐火材２７が強固に固定することができる。
【００３４】
なお、上記実施形態では、耐火材２７として鋼板４７が使用される例を説明したが、耐火材２７はこの他、セラミック等その他の素材を用いることもできる。例えば脱落などを起こさず補強することが可能なように、セラミックを吹き付けた他の素材との複合構造とすることもできる。また、化粧部材２９は、不燃材料であれば良く、アルミ合金以外のその他の素材であってもよい。
【符号の説明】
【００３５】
１１…シャッターカーテン
２５…ガイドレール
２７…耐火材
２９…化粧部材
３１…建物躯体
３５…両側縁
３７…スリット
４１…外正面
４３…外側面
４５…出隅部
４７…鋼板
５１…掛かり代部
【図１】
0006009746.tif 000002
【図２】
0006009746.tif 000003
【図３】
0006009746.tif 000004
【図４】
0006009746.tif 000005
【図５】
0006009746.tif 000006